(57)【要約】【課題】タイヤ等の回転体の回転位置、回転速度等に拘束されること無く、目視・認識されやすい回転体表示装置の提供を目的とする。【解決手段】回転体である車両のホイール１０２／タイヤ１０８の回転速度、回転位置を回転検出器１０５で検出し、表示制御部１０７が、検出された回転位置、または回転速度に合わせ、絵・文字等の画像データの表示位置を決定し、決定された表示位置に表示を随時切り替えるように、ホイール１０２に固定された液晶表示装置１０１の表示を制御する。【選択図】図１
2007003771.tif 000002
【特許請求の範囲】
【請求項１】
回転体の回転位置、または回転速度を検出する回転検出部と、検出された前記回転位置、または前記回転速度に合わせ、表示位置を決定し、決定された前記表示位置に表示を随時切り替える表示制御部と、前記回転体に固定され、表示を行う液晶等の表示部を備えたことを特徴とする回転体表示装置。
【請求項２】
回転体の回転位置、または回転速度を検出する回転検出部と、検出された前記回転位置、または前記回転速度に合わせ、発光の時間、または間隔を決定し、決定された前記発光時間、または発光間隔で発光装置に光照射を行わせる発光制御部と、前記回転体の表面に絵・文字等を表示する表示部と、前記表示部に光照射を行う発光装置を備えたことを特徴とする回転体表示装置。
【請求項３】
回転体は、車両等のタイヤ、ホイール、ホイールキャップのいずれかであることを特徴とする請求項１または請求項２記載の回転体表示装置。
【請求項４】
回転検出部は、車両等のホイールを固定する車軸に設けられることを特徴とする請求項１または請求項２記載の回転体表示装置。
【発明の詳細な説明】
【技術分野】
【０００１】
本発明は車両のタイヤ、ホイール等の回転体に任意に表示可能な回転体表示装置に関するものである。
【背景技術】
【０００２】
従来、車両の回転体であるホイールに装着する回転体表示装置としては、例えば、特許文献１、２に記載されているようなものがある。図３は特許文献１に記載されたものと同じ構成の回転体表示装置の分解図を示している。図３において、自動車のホイール３０１に装着するホイールキャップ３０２は、表面に広告のための文字又は図形等が描かれており、ビス３０３、シャフト３０４、ベアリング３０５を介して、車軸３０６のハブ穴３０７に取り付けられる。また、ホイールキャップ３０２には錘３０８が取り付けられる。３０９は自動車の車体、３１０はホイール３０１に装着されるタイヤである。
【０００３】
以上のように構成された回転体表示装置において、自動車の走行によってタイヤ３１０から伝達されるホイール３０１の回転力はベアリング３０５により、ホイールキャップ３０２には伝達されず、ホイールキャップ３０２に取り付けた錘３０８により、ホイールキャップ３０２は同一の姿勢を保つことができる。
【０００４】
これにより、静止したホイールキャップ３０２に付した文字又は図形等が、自動車の走行中にも目視、認識できる。
【０００５】
図４は特許文献２に記載されたものと同じ構成の回転体表示装置の側面図を示している。図４においてホイールキャップ４０１は金属製、プラスチック製、木製等で作成され、ホイール４０２に着脱可能な形態であり、広告のため、表面に直接ペイント、またはプリント及び印刷されたシール、ステッカーが貼り付けられている。４０３は自動車の車体、４０４はホイール４０２に装着されるタイヤである。
【０００６】
以上のように構成された回転体表示装置において、自動車の走行によるタイヤ４０４の高速、中速、低速回転から停止、発進の動きの中でホイールキャップ４０１の広告表示が表れ、消え、また表れるという一連の動作が引き起こす現象により強い印象を与える。
【０００７】
上記の様に、ホイールキャップを表示装置として利用し、表示位置を固定する機構を有するか、表示が回転体するタイヤに拘束されるが、回転から停止等の動きの中で広告を表示するようにしていた。
【特許文献１】特開平７−９６７０２号公報
【特許文献２】特開平８−２１６６０１号公報
【発明の開示】
【発明が解決しようとする課題】
【０００８】
しかしながら、上記特許文献１の構成では、ホイールキャップ３０２はタイヤ３１０の回転に拘束されないが、表示が１方向に静止したままの為、動きがなく、常に露出している状態であり、表示への注目度が弱いものとなるという課題を有していた。
【０００９】
また、上記特許文献２の構成では、ホイールキャップ４０１はタイヤ４０４の回転位置、回転速度等に拘束される。その結果、広告が上下逆方向に表示されてしまう場合や、絶えず目視、認識されやすい表示効果が得られる訳ではないという課題を有していた。
【課題を解決するための手段】
【００１０】
本発明は、上記の課題を解決するために、タイヤ等の回転体の回転位置、または回転速度を検出する回転検出部と、検出された回転位置、または回転速度に合わせ、適切な表示位置を決定し、決定された表示位置に表示を随時切り替える表示制御部と、前記回転体に固定され、表示を行う液晶等の表示部を備えることにより、タイヤ等の回転体の回転位置、回転速度に拘束されることなく、目視・認識され易い回転体表示装置を提供する。
【発明の効果】
【００１１】
以上のように、本発明の回転体表示装置によれば、タイヤ等の回転体の回転位置、回転速度等に拘束されない表示が可能である。その結果、タイヤ等の回転時においても常時、目視・認識が可能で、表示制御により、動きがあり印象に残る広告表示を実現することが可能である。更に、カーナビゲーション、メモリーカード等の電子機器を介することによって表示仕様が変更可能にできるため、拡張性が高く、保守・運用が容易である。
【発明を実施するための最良の形態】
【００１２】
以下本発明を実施するための最良の形態について、図面を参照しながら説明する。
【００１３】
（実施の形態１）
図１は、本発明の実施の形態１における回転体表示装置の断面図である。図１において、液晶表示装置１０１は自動車（図示せず）のホイール１０２に取り付けられ、ホイール１０２はディスク１０３とともに車軸１０４にそれぞれ固定され、同じ速度で回転する。回転検出器１０５は信号ケーブル１０６を介し、表示制御部１０７、液晶表示装置１０１と有機的に関連して回転体表示装置を構成している。表示制御部１０７は、記憶手段（図示せず）に保存された絵・文字等の画像データを液晶表示装置１０１に表示する。１０８はホイール１０２に取り付けられたタイヤである。
【００１４】
以上のように構成された本実施の形態の回転体表示装置において、以下その動作を説明する。自動車の走行によって車軸１０４の回転がディスク１０３に伝達され、回転検出器１０５にディスク１０３が通過することにより、回転体であるホイール１０２／タイヤ１０８の回転速度、回転位置が検出される。表示制御部１０７は、検出した回転位置、または回転速度に合わせ、絵・文字等の画像データの表示位置を決定する。決定された表示位置を信号ケーブル１０６により伝達し、液晶表示装置１０１の絵・文字等の表示を随時切り替える。これにより、ホイール１０２／タイヤ１０８の回転時においても、ホイール１０２／タイヤ１０８が所定の回転位置に到達した場合のみ表示するか、液晶表示装置１０１に表示された絵・文字等をホイール１０２／タイヤ１０８と同じ速度で逆回転させることにより、絵・文字等が静止しているように表示させることが可能である。
【００１５】
また、液晶表示装置１０１に表示された絵・文字等をホイール１０２／タイヤ１０８の速度と微小な差異の速度で回転させることにより、絵・文字等が徐々に回転するように表示させることも可能である。
【００１６】
更に、ホイール１０２／タイヤ１０８の高速回転時には、表示制御部１０７が絵・文字等の表示間隔を間引くことで、目視・認識されやすい表示を実現することができる。
【００１７】
なお、本実施の形態において、回転検出器１０５、表示制御部１０７を分けて説明したが、これらは一つのユニットとして構成しても良い。
【００１８】
また、回転検出器１０５は車両の速度計等から信号を得ることで代用することもできる。
【００１９】
また、表示制御部１０７をカーナビゲーションシステム等から構成しても良く、絵・文字等の画像データの記憶手段としてメモリーカード等を利用することにより、容易に表示仕様変更が可能である。
【００２０】
（実施の形態２）
図２は、本発明の実施の形態２における回転体表示装置の断面図である。図２において、ホイールキャップ２０１は自動車（図示せず）のホイール２０２に装着され、ホイール２０２はディスク２０３とともに車軸２０４にそれぞれ固定され、同じ速度で回転する。発光装置２０５は自動車の車体２０６に固定され、ホイールキャップ２０１に向けて光を照射するようにしている。回転検出器２０７は信号ケーブル２０８を介し、発光制御部２０９、発光装置２０５と有機的に関連して回転体表示装置を構成している。ホイールキャップ２０１は、金属、プラスチック等で作成され、表面に直接絵・文字等をペイント、または絵・文字等が描かれたシール等が貼り付けられている。２１０はホイール２０２に取り付けられたタイヤである。
【００２１】
以上のように構成された本実施の形態の回転体表示装置において、以下その動作を説明する。自動車の走行によって車軸２０４の回転がディスク２０３に伝達され、回転検出器２０７にディスク２０３が通過することにより、回転体であるホイール２０２／タイヤ２１０の回転速度、回転位置が検出される。発光制御部２０９は、検出した回転位置、または回転速度に合わせ、発光時間、発光間隔を決定する。決定された発光時間、発光間隔を信号ケーブル２０８により伝達し、発光装置２０５を制御することでストロボ効果が生じ、ホイールキャップ２０１に表示された絵・文字等が浮かび上がる。これにより、ホイール２０２／タイヤ２１０の回転時においても、ホイール２０２／タイヤ２１０がある回転位置に到達した時間、間隔に同期させて、発光装置２０５からホイールキャップ２０１に表示された絵・文字等に向けて光を照射することにより、絵・文字等が静止しているように表示させることが可能である。
【００２２】
また、発光装置２０５の光の照射を、ホイール２０２／タイヤ２１０の回転位置、回転速度と微小な差異の発光時間、発光間隔で行うことにより、ホイールキャップ２０１に表示された絵・文字等が徐々に回転するように表示させることが可能である。
【００２３】
更に、ホイールキャップ２０１に特殊インクをペイントし、発光装置２０５からブラックライト等の光を照射し、絵・文字等の表示を実現することも可能である。
【００２４】
なお、本実施の形態において、回転検出器２０７、発光制御部２０９を分けて説明したが、これらは一つのユニットとして構成しても良い。
【００２５】
また、回転検出器２０７は車両の速度計等から信号を得ることで代用することもできる。
【産業上の利用可能性】
【００２６】
本発明にかかる回転体表示装置は、車両のタイヤ等の回転体の回転位置、回転速度等に拘束されない表示が可能であると共に、カーナビゲーションシステム、メモリーカード等の電子機器を介して仕様変更が可能である。それにより、保守・運用の容易な広告媒体として有効である。
【図面の簡単な説明】
【００２７】
【図１】本発明の実施の形態１における回転体表示装置の断面図
【図２】本発明の実施の形態２における回転体表示装置の断面図
【図３】従来例１の回転体表示装置の分解図
【図４】従来例２の回転体表示装置の側面図
【符号の説明】
【００２８】
１０１  液晶表示装置
１０２  ホイール
１０３  ディスク
１０４  車軸
１０５  回転検出器
１０６  信号ケーブル
１０７  表示制御部
１０８  タイヤ
２０１  ホイールキャップ
２０２  ホイール
２０３  ディスク
２０４  車軸
２０５  発光装置
２０６  車体
２０７  回転検出器
２０８  信号ケーブル
２０９  発光制御部
２１０  タイヤ
【図１】
2007003771.tif 000003
【図２】
2007003771.tif 000004
【図３】
2007003771.tif 000005
【図４】
2007003771.tif 000006